(57)【要約】【課題】文字の読めない子供であっても驚きや楽しさを与えることができ、何度も袋として再利用することができる袋を提供する。【解決手段】上端に開口部を有する袋本体２と、袋本体２の上端部に設けられ、折り曲げると開口部を封しうる蓋部材３を備えた袋１であって、袋本体２内部に、蓋部材３を曲げ伸ばしすると、蓋部材３の曲げ伸ばしに連動して、袋本体２内部から出没する折り曲げシート５が収容されており、折り曲げシート５は、二つ折りにされた状態で袋本体２内部に収容された、屈曲伸展可能なシート状の部材であり、袋本体２内部から突出すると、伸展するものである。蓋部材３を伸ばして袋１を開けると折り曲げシート５が袋本体２内部から突出するので、袋１を開けた人に対して予測しない効果を与えることができる。【選択図】図１
0003116758.tif 000002
【実用新案登録請求の範囲】
【請求項１】
上端に開口部を有する袋本体と、該袋本体の上端部に設けられ、折り曲げると前記開口部を封しうる蓋部材を備えた袋であって、
該袋本体内部に、前記蓋部材を曲げ伸ばしすると、該蓋部材の曲げ伸ばしに連動して、該袋本体内部から出没する折り曲げシートが収容されており、
該折り曲げシートは、
二つ折りにされた状態で前記袋本体内部に収容された、屈曲伸展可能なシート状の部材であり、
該袋本体内部から突出すると、伸展するものである
ことを特徴とする袋。
【請求項２】
前記袋本体は、
一対のシート状部材を有し、該一対のシート状部材における両側端同士が連結され、その上端部間に開口部を有するように形成されており、かつ、一方のシート状部材の上端よりも、他方のシート状部材の上端が下方に位置するように形成されており、
前記蓋部材は、
前記一対のシート状部材における一方のシート状部材の上端に設けられ、該一方のシート状部材との接続部分において他方のシート状部材に向けて折り曲げると前記開口部を封しうるように形成されており、
前記折り曲げシートは、
下端部が上端部に接近するように折り曲げられた屈曲伸展可能なシート状の部材であり、
該折り曲げシートは、
シート上端部が、前記蓋部材における前記他方のシート状部材側の面に連結されており、
シート下端部の外面が、前記他方のシート状部材の上端部に連結されており、
シート上端部と前記蓋部材の内面とが連結されている蓋連結位置から折り目までの長さが、前記蓋部材と前記一方のシート状部材とのなす角度を１８０度としたときにおける前記蓋連結位置から前記他方のシート状部材の上端部までの距離よりも短くなるように形成されている
ことを特徴とする請求項１記載の袋。
【請求項３】
前記折り曲げシートは、
前記蓋部材と前記一方のシート状部材とのなす角度を１８０度としたときにおいて、前記折り曲げシートにおける折り目を挟む内面同士のなす角が、９０度以上となるように形成されている
ことを特徴とする請求項２記載の袋。
【請求項４】
前記折り曲げシートは、
前記蓋部材と前記一方のシート状部材とのなす角度を１８０度としたときにおいて、前記折り曲げシートにおける折り目を挟む内面同士のなす角が、１８０度より小さくなるように形成されている
ことを特徴とする請求項２記載の袋。
【請求項５】
前記他方のシート状部材の上端部と、前記折り曲げシートのシート下端部の外面とを連結する連結部材を備えており、
該連結部材は、
一端が前記他方のシート状部材の上端部内面に連結され、他端が前記折り曲げシートのシート下端部の外面に連結された連結部を備えており、
該連結部は、
一端と前記他方のシート状部材の上端部内面とが連結されている一端連結位置を支点として、前記他方のシート状部材における上端部の内面に対して該他方のシート状部材の上下方向に沿って揺動可能に連結されており、
かつ、他端と前記折り曲げシートのシート下端部の外面とが連結されている他端連結位置を支点として、前記折り曲げシートのシート下端部の外面に対して前記他方のシート状部材の上下方向に沿って揺動可能に連結されている
ことを特徴とする請求項２記載の袋。
【請求項６】
前記連結部は、
一端から他端までの長さが、前記一端連結位置から前記他方のシート状部材の上端までの長さと同じ長さとなるように形成されている
ことを特徴とする請求項５記載の袋。
【請求項７】
前記連結部材は、前記連結部の他端から延長された延長部を備えており、
該延長部は、
前記他方のシート状部材の上下方向に沿って、前記折り曲げシートのシート下端部の外面に固定されている
ことを特徴とする請求項５記載の袋。
【請求項８】
前記折り曲げシートの内面に、物体を保持しうる保持部材が設けられている
ことを特徴とする請求項１記載の袋。
【考案の詳細な説明】
【技術分野】
【０００１】
本考案は、袋に関する。さらに詳しくは、心付けやお年玉等を入れて渡す祝儀袋や、人に手紙やメッセージカードを入れて渡す袋、その他、人に贈り物を入れて渡したりする袋に関する。
【背景技術】
【０００２】
従来から、心付けやお年玉等を入れて渡す祝儀袋（以下、ポチ袋という）等には、その表面に種々のデザインが描かれたものがあり、かかるデザイン等が描かれている場合、見た目が綺麗であるので袋をもらった人に喜ばれる。とくに子供にキャラクターや動物等が描かれている袋を渡すと非常に喜ばれる。
【０００３】
ところで、袋表面にデザインが描かれていれば、見た目が華やかになりもらった人に喜ばれるものの、それ以上の効果を人に与えることはできないため、袋の外観から予想できない効果を与える袋として、従来例１のポチ袋が開発されている（特許文献１）。
従来例１のポチ袋は、ポチ袋のベロの裏側に文字が記載されており、ポチ袋を開けるまでその文字が見えないようになっている。このため、ポチ袋を開けた人は、予想していなかった文字を見ることによって驚きや感動を受ける。
また、このポチ袋には、袋内面に占い等が記載されており、袋に記載されている指示に従って袋の一部分を切り取ると、一部分を切り取ったことによりできる穴を通して袋内面に記載されている占い等を読むことができるようになっている。このため、ポチ袋をもらった人に、ポチ袋を貰ったことによる喜びに加えて、占い等を読むという楽しみも与えることができる。
【０００４】
しかるに、従来例１のポチ袋は、ポチ袋を開けた人に予想しない驚きなどを与えることはできるものの、あくまで文字が記載されているに過ぎないので、袋を開けた人に対するアピール度が低く、また、文字の読めない子供などの場合には、その効果が非常に弱くなる。そして、ポチ袋の一部を切り取ってしまえば、袋として再利用できなくなる。
【０００５】
【特許文献１】実開昭６３−０６４６６８号
【考案の開示】
【考案が解決しようとする課題】
【０００６】
本考案は上記事情に鑑み、文字の読めない子供であっても驚きや楽しさを与えることができ、何度も袋として再利用することができる袋を提供することを目的とする。
【課題を解決するための手段】
【０００７】
第１考案の袋は、上端に開口部を有する袋本体と、該袋本体の上端部に設けられ、折り曲げると前記開口部を封しうる蓋部材を備えた袋であって、該袋本体内部に、前記蓋部材を曲げ伸ばしすると、該蓋部材の曲げ伸ばしに連動して、該袋本体内部から出没する折り曲げシートが収容されており、該折り曲げシートは、二つ折りにされた状態で前記袋本体内部に収容された、屈曲伸展可能なシート状の部材であり、該袋本体内部から突出すると、伸展するものであることを特徴とする。
第２考案の袋は、第１発明において、前記袋本体は、一対のシート状部材を有し、該一対のシート状部材における両側端同士が連結され、その上端部間に開口部を有するように形成されており、前記蓋部材は、前記一対のシート状部材における一方のシート状部材の上端に設けられ、該一方のシート状部材との接続部分において他方のシート状部材に向けて折り曲げると前記開口部を封しうるように形成されており、前記折り曲げシートは、下端部が上端部に接近するように折り曲げられた屈曲伸展可能なシート状の部材であり、該折り曲げシートは、シート上端部が、前記蓋部材における前記他方のシート状部材側の面に連結されており、シート下端部の外面が、前記他方のシート状部材の上端部に連結されており、シート上端部と前記蓋部材の内面とが連結されている蓋連結位置から折り目までの長さが、前記蓋部材と前記一方のシート状部材とのなす角度を１８０度としたときにおける前記蓋連結位置から前記他方のシート状部材の上端部までの距離よりも短くなるように形成されていることを特徴とする。
第３考案の袋は、第２発明において、前記折り曲げシートは、前記蓋部材と前記一方のシート状部材とのなす角度を１８０度としたときにおいて、前記折り曲げシートにおける折り目を挟む内面同士のなす角が、９０度以上となるように形成されていることを特徴とする。
第４考案の袋は、第２発明において、前記折り曲げシートは、前記蓋部材と前記一方のシート状部材とのなす角度を１８０度としたときにおいて、前記折り曲げシートにおける折り目を挟む内面同士のなす角が、１８０度より小さくなるように形成されていることを特徴とする。
第５考案の袋は、第２発明において、前記他方のシート状部材の上端部と、前記折り曲げシートのシート下端部の外面とを連結する連結部材を備えており、該連結部材は、一端が前記他方のシート状部材の上端部内面に連結され、他端が前記折り曲げシートのシート下端部の外面に連結された連結部を備えており、該連結部は、一端と前記他方のシート状部材の上端部内面とが連結されている一端連結位置を支点として、前記他方のシート状部材における上端部の内面に対して該他方のシート状部材の上下方向に沿って揺動可能に連結されており、かつ、他端と前記折り曲げシートのシート下端部の外面とが連結されている他端連結位置を支点として、前記折り曲げシートのシート下端部の外面に対して前記他方のシート状部材の上下方向に沿って揺動可能に連結されていることを特徴とする。
第６考案の袋は、第５発明において、前記連結部は、一端から他端までの長さが、前記一端連結位置から前記他方のシート状部材の上端までの長さと同じ長さとなるように形成されていることを特徴とする。
第７考案の袋は、第５発明において、前記連結部材は、前記連結部の他端から延長された延長部を備えており、該延長部は、前記他方のシート状部材の上下方向に沿って、前記折り曲げシートのシート下端部の外面に固定されていることを特徴とする。
第８考案の袋は、第１発明において、前記折り曲げシートの内面に、物体を保持しうる保持部材が設けられていることを特徴とする。
【考案の効果】
【０００８】
第１考案によれば、蓋部材を伸ばして袋を開けると折り曲げシートが袋本体内部から突出するので、袋を開けた人に対して予測しない効果を与えることができる。しかも、折り曲げシートは突出するときに伸展するから、折り曲げシートの内面にメッセージを記載しておけば、袋を開けた人がそのメッセージを見ることができる状態に、自動的にすることができる。
第２考案によれば、袋を開けたときに、確実に折り曲げシートを突出させることができ、折り曲げシートを開かせることができる。
第３考案によれば、袋を開けたときに、確実に折り曲げシートを突出させ突出させることができ、折り曲げシートを開かせることができる。
第４考案によれば、蓋部材を曲げて袋を閉じたときに、折り曲げシートが元の２つ折りの状態になるので、袋を閉じたときに、折り曲げシートを確実に袋本体内部に収容できる。
第５考案によれば、蓋部材を閉じたときに、連結部の揺動範囲の分だけ折り曲げシートを袋本体内部に移動させることができるので、折り曲げシートの長さを長くしても、折り曲げシートを袋本体内部に収容することができる。すると、折り曲げシートを大きくできるので、折り曲げシートの内面においてメッセージを記載できる部分を大きくできるし、袋を開けたときにおける驚きを大きくすることができる。
第６考案によれば、折り曲げシートの長さを長くしつつ、折り曲げシートにおける折り目を挟む内面同士のなす角が９０°以上となるタイミングを早くできるから、袋を開けたときに、より確実に折り曲げシートを伸展させることができる。
第７考案によれば、折り曲げシートを補強できるから、折り曲げシートが伸展したときに折り曲げシートが伸びた状態を長期間保つことができる。
第８考案によれば、保持部材に送りたい物品を取り付ければ、袋を開けただけで袋を開けた人に物品を見せることができるので、袋を開けた人に手間をかけさせることなく物品を提供することができる。
【考案を実施するための最良の形態】
【０００９】
つぎに、本考案の実施形態を図面に基づき説明する。
図１は本実施形態の袋１の概略説明図である。
図１に示すように、本実施形態の袋１は、上端に開口部を有する袋本体２と、この袋本体２の上端に設けられ、袋本体２との接続部分で折り曲げると、開口部に封をすることができる蓋部材３を備えている。
また、この袋本体２の内部には、折り曲げシート５が収容されている。この折り曲げシート５は、２つ折りされた状態で、袋本体２内部に収容されているのであるが、蓋部材３を曲げ伸ばしすると、言い換えれば、袋１を開閉すると、この開口部から折り曲げシート５が出没し、かつ折り曲げシート５が開口部から突出したときには、折り曲げシート５が伸展するように形成されている。
【００１０】
図２は本実施形態の袋１の動きを説明した図である。
図２に示すように、この袋１の蓋部材３を伸ばして開封すると、蓋部材３が伸ばされるにしたがって、言い換えれば、蓋部材３の開度が大きくなるに従って折り曲げシート５の袋本体２からの突出量が大きくなり（図２（Ａ）→（Ｂ））、やがて折り曲げシート５全体が袋本体２から突出し（図２（Ｃ））、折り曲げシート５の突出後さらに蓋部材３の開度を大きくすると折り曲げシート５が伸展する（図２（Ｄ））。
上記のごとく、蓋部材３を伸ばして袋１を開くと折り曲げシート５が袋本体２内部から突出するので、袋１を開けた人に対して予測しない効果を与えることができる。しかも、折り曲げシート５が突出し伸展する動きを行うから、文字の読めない子供であっても驚きや楽しさを与えることができる。
また、折り曲げシート５が突出するときに折りたたまれた状態から伸展するので、折り曲げシート５の内面にメッセージを記載しておけば、蓋部材３を伸ばして袋１を開くだけで、自動的にそのメッセージを見ることができる状態にできるから、袋１を開けた人が簡単にメッセージを見ることができる。
【００１１】
しかも、折り曲げシート５の内面に物品等を保持しうる保持部材５ｄを設けておけば、保持部材５ｄに送りたい物品等を取り付けると、袋１を開けただけで物品等を袋を開けた人に見せることができる。例えば、保持部材５ｄにお金を保持させておけば、本実施形態の袋１をお年玉用の袋として使用することができる。
なお、保持部材は、例えば、折り曲げシート５に切り込み５ｓを入れて形成してもよいし（図４（Ａ）参照）、物品を挟むことができる部材、例えばクリップ等のようなものを折り曲げシート５の内面に取り付けて保持部材としてでもよく、特に限定されない。
【００１２】
また、本実施形態の袋１は、袋１を開けるときと逆の動きをすれば、折り曲げシート５が再び２つ折りになるから袋本体２の内部に収容させることができる（図２（Ｄ）→（Ａ））。すると、一度使用した袋１であっても、何度も袋１として使用することができる。
【００１３】
つぎに、本実施形態の袋１の具体的な構成を説明する。
図３（Ａ）本実施形態の袋１の袋本体２の単体図であり、（Ｂ）は袋本体２の展開図である。図４（Ａ）本実施形態の袋１の折り曲げシート５の単体平面図であり、（Ｂ）本実施形態の袋１の折り曲げシート５の単体側面図であり、（Ｃ）は折り曲げシート５の展開図である。図５は袋１の概略断面図である。
【００１４】
図３に示すように、本実施形態の袋１の袋本体２は、表裏一対のシート状部材２ａ，２ｂから構成されている。この一対のシート状部材２ａ，２ｂは、その側端同士および下端同士が連結されており、その対向する面間に物品を収容できる隙間が形成されている。そして、一対のシート状部材２ａ，２ｂは、上端同士は連結されていないため、袋本体２の上端間に開口部が形成されている。また、一対のシート状部材２ａ，２ｂは、一方のシート状部材２ａの上端よりも、他方のシート状部材２ｂの上端が下方に位置するように形成されている。言い換えれば、一方のシート状部材２ａの下端から上端までの長さが、他方のシート状部材２ｂの下端から上端までの長さよりも長くなっているが、この理由は後述する。
なお、袋本体２の一例として、他方のシート状部材２ｂが、一方の側端は一方のシート状部材２ａにおける一方の側端と一体に形成され、他方の側端および下端はのりしろ部ｎによって一方のシート状部材２ａにおける他方の側端および下端に連結されるようなシートから形成される袋本体が考えられるが（図３（Ｂ））、袋本体２は、上端間に開口部が形成され、この開口部から対向する面間に物品を収容できるように形成できるのであれば、どのようなシート状部材によって形成されてもよい。
【００１５】
図３（Ａ）に示すように、袋本体２の一方のシート状部材２ａの上端には、蓋部材３が設けられている。この蓋部材３は、一方のシート状部材２ａとの接続部分において他方のシート状部材２ｂに向けて折り曲げると、その上端部が他方のシート状部材２ｂの上端部と重なるような長さに形成されている。つまり、蓋部材３は、一方のシート状部材２ａとの接続部分において他方のシート状部材２ｂに向けて折り曲げると、袋本体２の上端間に形成されている開口部を封しうるように形成されているのである。
図３（Ｂ）に示すように、この蓋部材３は、第１蓋部材３ｂと第２蓋部材３ａとを有しており、第２蓋部材３ａを、第１蓋部材３ｂとの連結部分で折り曲げて第１蓋部材３ｂに重ねて張り合わせて形成されている（図５参照）。この第２蓋部材３ａには、表裏を貫通する切り込み３ｃが形成されている。この切り込み３ｃは、第２蓋部材３ａを第１蓋部材３ｂに重ねて張り合わせたときに、他方のシート状部材２ｂの上端までの距離Ｌ１が、折り曲げシート５のシート上端から折り目５ｆまでの長さＬ２(図４参照)よりも長くなる位置に形成されているが、その理由は後述する。この切り込み３ｃの位置が、特許請求の範囲にいう蓋連結位置であり、以下、蓋連結位置Ａで示す。また、折り曲げシート５のシート上端から折り目５ｆまでの長さＬ２は、以下では、単に折り曲げシート５の長さＬ２という。
なお、蓋部材３は、第２蓋部材３ａを設けず、第１蓋部材３ｂだけで形成してもよいのは言うまでもないが、上記のごとくと第２蓋部材３ａを第１蓋部材３ｂに重ねて張り合わせておけば、蓋部材３の強度を強くできるので、好適である。
【００１６】
図４に示すように、折り曲げシート５は、紙等のように屈曲伸展可能であってある程度の弾性を有する素材からなる一枚のシートから形成されたものであり、その上端下端間の中間部に折り目５ｆが形成されている。この折り曲げシート５の折り目５ｆは、その位置で折り曲げると、折り曲げシート５の下端部が上端部に接近させることができるように形成されており、この折り目５ｆにおいて２つ折りにした状態で、折り曲げシート５は前記袋本体２の内部に収容される。
【００１７】
図４に示すように、この折り曲げシート５において、折り目５ｆを挟んで上部側になる上部シート５ａの上端には固定部５ｃが形成されている。この固定部５ｃは、上述したように、前記蓋部材３の第２蓋部材３ａに形成されている切り込み３ｃに差し込まれ、その状態で蓋部材３に固定される。つまり、固定部５ｃは、折り曲げシート５を蓋部材３に固定するものである（図５参照）。
【００１８】
一方、この折り曲げシート５において、折り目５ｆを挟んで下部側になる下部シート５ｂの下端には連結部材６が設けられている。この連結部材６は、折り目によって、延長部６ａ、連結部６ｂ、固定部６ｃに分けられている（図４（Ｃ））。
【００１９】
図４および図５に示すように、延長部６ａは、下部シート５ｂとの連結位置で下部シート５ｂの外面に向けて折り曲げられ、折り曲げシート５の上下方向に沿って下部シート５ｂの外面に固定されている。言い換えれば、折り曲げシート５を袋本体２に取り付けたときにおいて、他方のシート状部材２ｂの上下方向に沿って下部シート５ｂの外面に固定されているのである。
【００２０】
図４および図５に示すように、連結部６ｂは、延長部６ａとの連結位置で折り曲げられており、延長部６ａに対して揺動可能に連結されている。つまり、連結部６ｂは、延長部６ａを介して下部シート５ｂと連結されており、延長部６ａとの連結位置、言い換えれば、下部シート５ｂとの連結位置（以下では他端連結位置Ｃという）を支点として下部シート５ｂに対して揺動可能に連結されているのである。
【００２１】
図４および図５に示すように、固定部６ｃは、連結部６ｂとの連結位置で折り曲げられており、連結部６ｂに対して揺動可能に連結されている。この固定部６ｃは、袋本体２の他方のシート状部材２ｂの内面に固定されるものである。このため、連結部６ｂは、他方のシート状部材２ｂと固定部６ｃを介して連結され、かつ、固定部６ｃとの連結位置、言い換えれば、他方のシート状部材２ｂとの連結位置（以下では、一端連結位置Ｂという）を支点として下部シート５ｂに対して揺動可能に連結されているのである。
【００２２】
なお、以下では、便宜上、連結部６ｂにおける一端連結位置Ｂと連結されている端部を連結部６ｂの一端といい、他端連結位置Ｃと連結されている端部を連結部６ｂの他端という。
【００２３】
上記のごとき構成を有する袋本体２と折り曲げシート５とからなる本実施形態の袋１において、袋１を開閉した場合における折り曲げシート５の動きを、図６に基づいて説明する。なお、図６では、図面を分かりやすくするため、蓋連結位置Ａ、一端連結位置Ｂ、他端連結位置Ｃを記載していないが、これらの位置は、図５を参照されたい。
【００２４】
図６(Ａ)は袋１を閉じた状態における袋１の断面図であり、(Ｂ)は袋１を開いていく途中の状態の断面説明図である。図７（Ｃ）は袋１を開いていく途中の状態の断面説明図であり、（Ｄ）は袋１を完全に開いた状態における袋１の断面図である。
図６(Ａ)に示すように、袋１が閉じられた状態では、折り曲げシート５は２つ折りされた状態で袋本体２の内部に収容されている。このとき、連結部６ｂは、他方のシート状部材２ｂの内面に対して、袋本体２の下端側（図６では左側）に揺動している。
図６（Ａ）の状態から、袋１を開いていく、つまり、蓋部材３を伸ばしていくと、折り曲げシート５は蓋連結位置Ａにおいて上部シート５ａの上端が蓋部材３に固定されているから、蓋部材３に引っ張られて折り曲げシート５が袋本体２の上端側（図６では右側）に移動する。連結部６ｂは、他端連結位置Ｃにおいて他端が折り曲げシート５の下部シート５ｂの外面に連結されているから、連結部６ｂの他端は折り曲げシート５とともに袋本体２の上端側に移動する。しかし、連結部６ｂは、一端連結位置Ｂにおいて一端が他方のシート状部材２ｂの内面に連結されているから、連結部６ｂの一端は移動できない。このため、連結部６ｂは、一端連結位置Ｂを支点として揺動する（図６（Ｂ））。
なお、袋本体２において、一方のシート状部材２ａの下端から上端までの長さと、他方のシート状部材２ｂの下端から上端までの長さが、同じであれば蓋部材３を伸ばしていくと、折り曲げシート５が他方のシート状部材２ｂの上端に引っ掛かってしまい、袋本体２から折り曲げシート５を突出させることができなくなる。しかし、本実施形態の袋１の場合、一方のシート状部材２ａの下端から上端までの長さが、他方のシート状部材２ｂの下端から上端までの長さよりも長くなっているので、かかる問題が生じることを防ぐことができる。
さらになお、本実施形態の袋１において、蓋部材３と一方のシート状部材２ａの連結位置から蓋連結位置Ａまでの距離Ｌ４を長くすれば、蓋部材３を伸ばしたと機における折り曲げシート５の移動量を大きくすることができるため、折り曲げシート５を大きくできる。しかし、蓋部材３を伸ばしているときに折り曲げシート５が一方のシート状部材２ａに対してなす角度ω（図５参照）が大きくなるので、折り曲げシート５が他方のシート状部材２ｂの上端に引っ掛からないように、一方のシート状部材２ａの下端から上端までの長さと、他方のシート状部材２ｂの下端から上端までの長さの差を大きくする。
【００２５】
図６（Ｂ）の状態から、さらに、袋１を開いていくと折り曲げシート５も袋本体２の上端側にさらに移動し、やがて、蓋連結位置Ａから他方のシート状部材２ｂの上端部までの距離Ｄ１が、蓋連結位置Ａから折り目５ｆまでの長さ、つまり、折り曲げシート５の長さＬ２よりも長くなると、折り曲げシート５の折り目５ｆが他方のシート状部材２ｂの上端よりも外方に引き出される。言い換えれば、折り曲げシート５全体が袋本体２から突出するのである。
なお、本実施形態の袋１の場合、一方のシート状部材２ａの下端から上端までの長さと、他方のシート状部材２ｂの下端から上端までの長さの差を大きくすれば、蓋連結位置Ａから折り目５ｆまでの長さＤ２が長くなっても折り曲げシート５を袋本体２から確実に突出させることができる。つまり、折り曲げシート５を大きくできるので、折り曲げシート５の内面にメッセージを記載できる部分を大きくできるし、袋１を開けたときにおける驚きを大きくすることができる。
【００２６】
さらに、袋１を開いていくと、蓋連結位置Ａから一端連結位置Ｂまでの長さＤ２が、折り曲げシート５の長さＬ２と連結部６ｂの長さＬ３とを合わせた長さよりも長くなる。すると、折り曲げシート５の上部シート２ａは蓋部材３をともにさらに上端側に移動するが、下部シート２ｂは連結部６ｂによって右方への移動が停止され、左方に引っ張られる。すると、折り曲げシート５は２つ折の状態から伸展される。
さらに、袋１を開いていくと、折り曲げシート５は、その折り目５ｆを挟む内面同士のなす角θが９０度以上となるから、折り曲げシート５の内面を見ることができる。
【００２７】
しかも、蓋部材３と一方のシート状部材２ａとのなす角度を１８０度としたときおける蓋連結位置Ａから一端連結位置Ｃまでの長さＤ３が、折り曲げシート５の長さＬ２と折り目５ｆから他端連結位置Ｃまでの長さ、つまり、延長部６ａの長さＬ５と連結部６ｂの長さＬ３とを合わせた長さよりも短くなるようにしておけば、蓋部材３を開く角度、つまり、蓋部材３と一方のシート状部材２ａとのなす角度を１８０度としたときでも、折り曲げシート５における折り目５ｆを挟む内面同士のなす角θを１８０度より小さくすることができる。すると、蓋部材３を曲げて袋１を閉じたときに、折り曲げシート５は内面同士のなす角θが小さくなるように移動する。つまり、折り曲げシート５を元の２つ折りの状態にすることができるので、袋１を閉じたときに、折り曲げシート５を確実に袋本体２内部に収容できる。
【００２８】
なお、蓋部材３と一方のシート状部材２ａとのなす角度を１８０度としたときおいて、蓋連結位置Ａから一端連結位置Ｂまでの長さが、蓋連結位置Ａから折り目５ｆまでの長さＤ２と折り目５ｆから他端連結位置Ｃまでの長さＤ５と連結部６ｂの長さＬ３とを合わせた長さよりも短くなるようにしておかなくてもよいが、この場合、蓋部材３を開くことができる角度が小さくなるので、上記のごとき長さにしておくことが好ましい。
【００２９】
なお、折り曲げシート５の上部シート５ａと蓋部材３との連結は、上記のごとき構成で連結しなくてもよく、上部シート５ａと蓋部材３が互いに揺動できるように連結されていればよい。
さらになお、連結部６ｂと折り曲げシート５の下部シート５ｂとの連結、および、連結部６ｂと他方のシート状部材２ｂとの連結も、上記のごとき構成で連結しなくてもよく、互いに揺動できるように連結されていればよい。
【００３０】
そして、連結部６ｂを設けずに、折り曲げシート５における下部シート５ｂの外面を、直接、他方のシート状部材２ｂに揺動可能に連結してもよく、この場合でも、蓋連結位置Ａから折り目５ｆまでの長さが、蓋部材３と他方のシート状部材２ｂとのなす角度を１８０度としたときにおける蓋連結位置Ａから他方のシート状部材２ｂの上端部までの距離よりも短くなるように形成されていれば、折り曲げシート５を袋本体２から突出させ、かつ、折り曲げシート５を伸展させることができる。
しかし、連結部６ｂを設けておけば、連結部６ｂの揺動範囲の分だけ、つまり、連結部６ｂの長さの２倍だけ、折り曲げシート５を袋本体２内部に余分に移動させることができるから、折り曲げシート５の長さを長くしても、折り曲げシート５を袋本体２内部に収容することができる。すると、折り曲げシート５を大きくできるので、折り曲げシート５内面にメッセージを記載できる部分を大きくできるし、袋１を開けたときにおける驚きを大きくすることができる。
【００３１】
なお、連結部６ｂは、その長さＬ３が一端連結位置Ｂから他方のシート状部材２ｂの上端までの長さＤ３（図７（Ｃ）参照）以上でなければ、折り曲げシート５が他方のシート状部材２ｂの上端に引っ掛かってうまく開かなくなるので、その長さは一端連結位置Ｂから他方のシート状部材２ｂの上端までの長さＤ３以上としなければならない。しかし、連結部６ｂの長さを長くしすぎると、連結部６ｂの揺動範囲が広くなり折り曲げシート５の長さを長くできるものの、折り曲げシート５における折り目５ｆを挟む内面同士のなす角θが９０°以上となるタイミングが遅くなり、蓋部材３と他方のシート状部材２ｂとのなす角度を１８０度としても折り曲げシート５が開かなくなるおそれがある。よって、連結部６ｂの長さは、一端連結位置Ｂから他方のシート状部材２ｂの上端までの長さと同じまたは僅かに長いことが好ましい。
さらになお、延長部６ａは設けなくてもよいが、延長部６ａを設けておけば、折り曲げシート５の下部シート５ｂを補強できるから、折り曲げシート５が伸展したときに折り曲げシート５が伸びた状態を長期間保つことができる。
【産業上の利用可能性】
【００３２】
本発明の袋は、お年玉を入れるポチ袋や、人に贈り物をしたりメッセージを送るための袋として適している。
【図面の簡単な説明】
【００３３】
【図１】本実施形態の袋１の概略説明図である。
【図２】本実施形態の袋１の動きを説明した図である。
【図３】（Ａ）本実施形態の袋１の袋本体２の単体図であり、（Ｂ）は袋本体２の展開図である。
【図４】（Ａ）本実施形態の袋１の折り曲げシート５の単体平面図であり、（Ｂ）本実施形態の袋１の折り曲げシート５の単体側面図であり、（Ｃ）は折り曲げシート５の展開図である。
【図５】袋１の概略断面図である。
【図６】(Ａ)は袋１を閉じた状態における袋１の断面図であり、(Ｂ)は袋１を開いていく途中の状態の断面説明図である。
【図７】（Ｃ）は袋１を開いていく途中の状態の断面説明図であり、（Ｄ）は袋１を完全に開いた状態における袋１の断面図である。
【符号の説明】
【００３４】
１        袋
２        袋本体
２ａ      一方のシート状部材
２ｂ      他方のシート状部材
３        蓋部材
５        折り曲げシート
６        連結部材
６ａ      延長部
６ｂ      連結部
【図１】
0003116758.tif 000003
【図３】
0003116758.tif 000004
【図４】
0003116758.tif 000005
【図５】
0003116758.tif 000006
【図６】
0003116758.tif 000007
【図７】
0003116758.tif 000008
【図２】
0003116758.tif 000009